(57)【要約】  本発明は、再生専用ブルーレイディスク（ＢＤ−ＲＯＭ：Ｂｌｕ−ｒａｙ  Ｄｉｓｃ−ＲＯＭ）のような高密度光ディスクのデータ領域に記録されたＡ／Ｖストリームのようなメインデータに適切な速度で記録媒体を再生することができるようにする方法に係り、本方法では、記録媒体にビデオデータを記録すると共に、前記ビデオデータの再生速度情報を、前記ビデオデータの記録領域前にあるＰＩＣ領域内のディスク情報テーブルに記録して置く。本方法は、デジタル放送ストリームの標準伝送速度（約３６Ｍｂｐｓ）以上の伝送速度を有する高画質のビデオデータを収録している高密度記録媒体に效果的に適用することができる。
2006517710.tif 000002
【特許請求の範囲】
【請求項１】
記録媒体にビデオデータを記録すると共に、前記ビデオデータの再生速度情報を、前記ビデオデータの記録領域の前に記録することを特徴とする記録媒体への再生速度情報記録方法。
【請求項２】
前記再生速度情報は、前記記録媒体に区画されているＰＩＣ領域に確保されているディスク情報テーブルに記録されることを特徴とする請求項１記載の記録媒体への再生速度情報記録方法。
【請求項３】
前記再生速度情報は、前記ディスク情報テーブルに確保されている１バイトの最大適用伝送速度フィールドに記録されることを特徴とする請求項２記載の記録媒体への再生速度情報記録方法。
【請求項４】
前記再生速度情報は、前記ディスク情報テーブルに確保されている未使用領域フィールドの一部に記録されることを特徴とする請求項２記載の記録媒体への再生速度情報記録方法。
【請求項５】
前記記録される再生速度情報は、３６Ｍｂｐｓ以上の伝送速度で前記記録媒体を再生させることができる値を有することを特徴とする請求項１記載の記録媒体への再生速度情報記録方法。
【請求項６】
前記記録される再生速度情報は、４０Ｍｂｐｓ以上の伝送速度で前記記録媒体を再生させることができる値を有することを特徴とする請求項１記載の記録媒体への再生速度情報記録方法。
【請求項７】
前記再生速度情報は、デジタル放送ストリームの標準伝送速度に対する前記ビデオデータの伝送速度の比に対する速度で記録されることを特徴とする請求項１記載の記録媒体への再生速度情報記録方法。
【請求項８】
ビデオデータ；及び
前記ビデオデータが記録された領域の前に記録された前記ビデオデータの再生速度情報を含むことを特徴とする記録媒体。
【請求項９】
前記再生速度情報は、前記記録媒体に区画されているＰＩＣ領域に確保されているディスク情報テーブル内に記録されていることを特徴とする請求項８記載の記録媒体。
【請求項１０】
前記再生速度情報は、前記ディスク情報テーブルに確保されている１バイトの最大適用伝送速度フィールドに記録されていることを特徴とする請求項９記載の記録媒体。
【請求項１１】
前記再生速度情報は、前記ディスク情報テーブルに確保されている未使用領域フィールドの一部に記録されていることを特徴とする請求項９記載の記録媒体への再生速度情報記録方法。
【請求項１２】
前記再生速度情報は、デジタル放送ストリームの標準伝送速度以上の伝送速度で前記記録媒体を再生させることができる値を有することを特徴とする請求項８記載の記録媒体。
【請求項１３】
前記再生速度情報は、デジタル放送ストリームの標準伝送速度に対する前記ビデオデータの伝送速度の比に対する速度で記録されることを特徴とする請求項８記載の記録媒体への再生速度情報記録方法。
【請求項１４】
ディスク装置が記録媒体を再生する方法において、
ビデオデータが収録された記録媒体を駆動させる１段階と；
前記記録媒体に記録されている、前記ビデオデータに対する再生速度情報を検出する２段階と；
前記検出された再生速度情報で指定した速度またはそれ以上の速度で前記記録媒体を駆動しながら前記ビデオデータを読み出す３段階を含むことを特徴とする記録媒体の再生方法。
【請求項１５】
前記１段階は前記記録媒体に対して設定された基本速度で前記記録媒体を駆動することを特徴とする請求項１４記載の記録媒体の再生方法。
【請求項１６】
前記１段階は、前記再生速度情報が記録された領域に対して前記ディスク装置が遂行することができる最大速度で前記記録媒体を駆動することを特徴とする請求項１４記載の記録媒体の再生方法。
【請求項１７】
前記２段階は、前記記録媒体に区画されているＰＩＣ領域に確保されているディスク情報テーブルで前記再生速度情報を検出することを特徴とする請求項１４記載の記録媒体の再生方法。
【請求項１８】
３段階は、デジタル放送ストリームの標準伝送速度以上の伝送速度で前記ビデオデータが読み出されるように前記記録媒体を駆動することを特徴とする請求項１４記載の記録媒体の再生方法。
【請求項１９】
前記３段階は、前記再生速度情報に該当する指定された再生速度に一致する速度で前記記録媒体を駆動できない場合には、前記ディスク装置が駆動できる多くの再生速度の中で前記指定された再生速度に最も近接し、それよりは速い再生速度で前記ビデオデータを再生することを特徴とする請求項１４記載の記録媒体の再生方法。
【発明の詳細な説明】
【技術分野】
【０００１】
本発明は、再生専用ブルーレイディスク（ＢＤ−ＲＯＭ：Ｂｌｕ−ｒａｙ  Ｄｉｓｃ−ＲＯＭ）のような高密度光ディスクのデータ領域に記録されたＡ／Ｖストリームのようなメインデータをそれに合う速度で読み出すことができるようにする情報の管理方法とそれによる高密度光ディスクに関する。
【０００２】
また、本発明は記録媒体に収録されたコンテンツに適切な再生速度をその記録媒体から把握して該コンテンツを再生する方法に関する。
【背景技術】
【０００３】
最近、高画質のビデオデータと高音質のオーディオデータを長時間記録することができる新しい高密度光ディスクである再記録可能なブルーレイディスク（ＢＤ−ＲＥ：Ｂｌｕ−ｒａｙＤｉｓｃ−Ｒｅｗｒｉｔａｂｌｅ）に対する規格化作業が急速に進展している。ＢＤ−ＲＥの規格が確定されれば、関連製品が開発され市場に発表されて商用化されることが期待される。
【０００４】
ＢＤ−ＲＥは、図１に示したように、ディスクの内周側にクランピング領域、ＢＣＡ（Ｂｕｒｓｔ  Ｃｕｔｔｉｎｇ  Ａｒｅａ）領域、トランジション領域、リードイン領域が上記順番どおり存在し、ディスクの中心と外周には、データ領域とリードアウト領域が存在するディスク構造を有する。
【０００５】
リードイン領域には、第１ガード（Ｇｕａｒｄ  １）領域、ＰＩＣ（Ｐｅｒｍａｎｅｎｔ  Ｉｎｆｏｒｍａｔｉｏｎ  ＆  Ｃｏｎｔｒｏｌ  ｄａｔａ）領域、第２ガード（Ｇｕａｒｄ  ２）領域、情報２（Ｉｎｆｏ  ２）領域、ＯＰＣ（Ｏｐｔｉｍｕｍ  Ｐｏｗｅｒ  Ｃａｌｉｂｒａｔｉｏｎ）領域などが区分して割当てられている。第１ガード領域とＰＩＣ領域は、事前にデータがあらかじめ記録されている領域（Ｐｒｅ−ｒｅｃｏｒｄｅｄ  ａｒｅａ）であり、他のリードイン領域、データ領域、リードアウト領域は、新しいデータを再記録できる領域である。
【０００６】
ＰＩＣ領域は、永久的に保存されなければならないディスクの主要一般情報が記録される領域であって、この情報はトラックにウォーブル形状で、高周波変調（ＨＦＭ：Ｈｉｇｈ  Ｆｒｅｑｕｅｎｃｙ  Ｍｏｄｕｌａｔｅｄ）方式によりエンコーディングされて記録される。ウォーブル形状へのデータエンコーディングは、図２に示したように、バイフェーズ変調（Ｂｉ−Ｐｈａｓｅ  Ｍｏｄｕｌａｔｅｄ）方式により変調して記録される。
【０００７】
一方、ＢＤ−ＲＥの開発とともに、それに対応する再生専用ディスクである再生専用ブルーレイ（Ｂｌｕ−ｒａｙ）ディスク（‘ＢＤ−ＲＯＭ’と称する）も現在関連企業間で論議されている。このディスクは図３に示したように、インナー領域、クランピング領域、トランジション領域、情報領域、リム領域で構成されている。
【０００８】
情報領域内のデータゾーンには、ＢＤ−ＲＥに比べて高画質のメインＡ／Ｖデータを記録することができる。
【０００９】
例えば、ＢＤ−ＲＥの場合には、ＨＤ−ＴＶ放送に該当する約３６ＭｂｐｓのＡ／Ｖストリームを主に記録する一方、ＢＤ−ＲＯＭの場合は、製作時に４０Ｍｂｐｓ以上の高画質の映画のようなコンテンツのＡ／Ｖストリームを記録することができる。
【００１０】
したがって、ＢＤ−ＲＯＭに記録された高画質のＡ／Ｖストリームの伝送レートを知らずに、ＨＤ−ＴＶ放送ストリームの伝送レートである約３６Ｍｂｐｓでデータを読み出して再生すると、正常な映像出力をすることができない。
【発明の開示】
【発明が解決しようとする課題】
【００１１】
本発明は、前記のような問題を解決するために創作されたものであって、再生専用記録媒体に収録されたリアルタイム動画像コンテンツに適合する再生速度情報を記録して置く記録媒体の再生速度情報管理方法を提供することが目的である。
【００１２】
本発明は、データ領域に収録されたリアルタイム動画像コンテンツに適合する再生速度情報を含んでいる記録媒体を提供することが他の目的である。
【００１３】
さらに、本発明は、収録されたコンテンツに適合する再生速度を記録媒体から把握して、その速度で記録媒体を再生する方法を提供するが他の目的である。
【課題を解決するための手段】
【００１４】
前記のような目的を達成する本発明による記録媒体への再生速度情報記録方法は、記録媒体にビデオデータを記録し、そのビデオデータの再生速度情報を、ビデオデータが記録されるデータ領域の前に記録して置くことが特徴である。
【００１５】
また、本発明による記録媒体は、ビデオデータと、そのビデオデータが記録された領域の前に記録された当該ビデオデータの再生速度情報を含むことが特徴である。
【００１６】
さらに、本発明による記録媒体の再生方法は、ビデオデータが収録された記録媒体を駆動させる１段階と、記録媒体に記録されている、当該ビデオデータに対する再生速度情報を検出する２段階と、その検出された再生速度情報で指定した速度またはそれ以上の速度で記録媒体を駆動してビデオデータを読み出す３段階とを含むことが特徴である。
【００１７】
前記のような特徴を有する記録媒体の再生速度情報管理方法及び速度情報による再生方法によれば、記録媒体に収録されたデジタル放送ストリームより速い伝送速度を要する高画質である多様なコンテンツを正常に再生してユーザーが視聴することができる。
【発明を実施するための最良の形態】
【００１８】
以下、本発明による記録媒体の再生速度情報管理方法及びその再生速度による記録媒体再生方法に対する望ましい実施形態に対して、添付した図面を参照しながら詳細に説明する。
【００１９】
本発明による再生専用ブルーレイディスク（ＢＤ−ＲＯＭ）は、図３を参照しながら前述したように、インナー領域、クランピング領域、トランジション領域、情報領域、リム領域を備えたディスク構造を有する。
【００２０】
情報領域内に割り当てられているＰＩＣ領域は、ディスク情報ＤＩを含んでいる。このようなデータ記録はＢＤ−ＲＯＭの製作時にディスク表面にプレピットを形成することによってなされる。
【００２１】
情報領域内に割り当てられたデータゾーンには、映画等のようなリアルタイムの動画像コンテンツが記録される。このようなコンテンツは適正再生速度（伝送速度：ｔｒａｎｓｆｅｒ  ｒａｔｅ）が４０Ｍｂｐｓ以上であることを必要とする高画質映像である。
【００２２】
一方、ＰＩＣ領域に含めて記録されるディスク情報（ＤＩ）には、図４に示したように、ディスク情報ＩＤのような一般情報以外に、データゾーンに記録されたメインデータに適切な再生速度（伝送速度）情報が含まれて記録される。
【００２３】
この再生速度情報は、例えば４バイトのサイズを有しており、図５に示したように、ディスク情報ＩＤ、ディスク情報フォーマット、ディスクサイズ／バージョンなどが記録されるディスク情報ＤＩテーブル内に確保されている未使用領域のうち、例えば３２ないし３５番目位置に記録される。
【００２４】
または、再生速度情報は、１バイトのｍａｘｉｍｕｍ  ｔｒａｎｓｆｅｒ  ｒａｔｅ  ｏｆ  ａｐｐｌｉｃａｔｉｏｎ（最大適用伝送速度）フィールドに記録して置くこともできる。
【００２５】
ＢＤ−ＲＯＭの再生速度情報を記録する時は、放送ストリームの伝送速度（＝３６Ｍｂｐｓ）（以下この伝送速度を１Ｘとする）に対する比として記録することもできる。例えば、放送ストリームの伝送速度に対する再生速度がｋ倍（１Ｘのｋ倍、ｋは１以上である整数）に該当して、ＢＤ−ＲＯＭに収録されたコンテンツの伝送速度が４０Ｍｂｐｓ以上ならば、４０／３６ｘＮ（約１．１２ｋ）の値より大きい値が記録される。もしも、伝送速度が４０Ｍｂｐｓならば１．１２ｋの値が記録される。
【００２６】
図６はディスク記録媒体を再生する光ディスク装置を概括的に示したものであって、光ディスクの記録信号を読みだす光ピックアップ１１、信号処理及びサーボ制御を遂行するＶＤＰ（Ｖｉｄｅｏ  Ｄｉｓｃ  Ｐｌａｙ）システム１２、そしてＤ／Ａ変換器１３などで構成されるが、記録媒体に収録されたコンテンツの再生速度に適切な速度を把握して記録媒体を再生する。
【００２７】
このために、装置内に、収録されたコンテンツの再生速度情報を有するＢＤ−ＲＯＭが装着されると、ＶＤＰシステム１２は、まず、装着されたＢＤ−ＲＯＭを回転駆動させて、光ピックアップ１１を制御し、ＢＤ−ＲＯＭのＰＩＣ領域を探索してそこに記録されているディスク情報を読みだす。この時、高密度記録媒体に対して設定された基本速度（＝１Ｘ）でＢＤ−ＲＯＭを再生するか、図６の再生装置が、ＰＩＣ領域から読み出すことができる最大速度で再生する。もしも、ＰＩＣ領域が暗号化されていると判断されると、装着されたＢＤ−ＲＯＭを必ずその領域に対する最大速度で再生する。
【００２８】
そして、読み取られたディスク情報ＤＩで１７番目のバイトに記録された１バイト情報、または３２ないし３５番目のバイトに記録されている４バイトの再生速度情報を検出する。
【００２９】
もし、この再生速度（伝送速度）情報が４０Ｍｂｐｓに該当する値であれば、すなわち、前の例で１．１２ｋならば、ＶＤＰシステム１２は装着されたＢＤ−ＲＯＭを１Ｘの１．１２ｋ倍、すなわち、１．１２ｋＸの速度で駆動させて、光ピックアップ１１をデータゾーンへ移動させてそこに記録されている高画質の動画像データ、例えば、ビデオ及び／またはオーディオデータを読み、読み取られたデータに対してデコーディングして出力する。もし、図６の再生装置が駆動できる再生可能速度（伝送速度）レベルがいくつかに設定されている場合、例えば、Ｎ1Ｘ、Ｎ2Ｘ、Ｎ3Ｘ、・・・、ＮIＸ（ＮIは整数）に決められていて、確認された再生速度情報に該当する速度と一致する再生可能速度がない時は、再生速度情報の速度に最も近接し、それより速い再生可能速度を選定してその速度でＢＤ−ＲＯＭに収録されたコンテンツを再生する。
【００３０】
例えば、前の例で、記録された１．１２ｋの値がＮI−2より大きくてＮI−1より小さければ前記再生装置は装着されたＢＤ−ＲＯＭをＮI−1Ｘの速度で再生する。
【００３１】
以上、前述した本発明の望ましい実施形態は、例示の目的のために開示されたものであって、当業者ならば、添付された特許請求範囲に開示された本発明の技術的思想とその技術的範囲内で、また他の多様な実施形態を改良、変更、代替または付加などが可能であることである。
【図面の簡単な説明】
【００３２】
【図１】再記録可能なブルーレイディスク（ＢＤ−ＲＥ）に対するディスク構造を示したものである。
【図２】再記録可能なブルーレイディスクのＰＩＣ領域に形成された高周波変調（ＨＦＭ）グルーブを示したものである。
【図３】再生専用ブルーレイディスク（ＢＤ−ＲＯＭ）に割り当てられている各領域を示したものである。
【図４】本発明によって、収録されたコンテンツに対する再生速度情報がＰＩＣ領域に記録されている例を示したものである。
【図５】本発明によって、ＰＩＣ領域内のディスク情報テーブルに再生速度情報が記録される例を示したものである。
【図６】本発明が適用された高密度ブルーレイディスクを再生することができる光ディスク装置の構成を概略的に示したのである。
【図１】
2006517710.tif 000003
【図２】
2006517710.tif 000004
【図３】
2006517710.tif 000005
【図４】
2006517710.tif 000006
【図５】
2006517710.tif 000007
【図６】
2006517710.tif 000008
【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
記録媒体にメインデータを記録すると共に、前記メインデータの再生速度情報を、前記メインデータが記録されたデータ領域の前の制御領域に記録することを特徴とする記録媒体への再生速度情報記録方法。
【請求項２】
前記制御領域がリードイン領域であって、前記再生速度情報は、前記記録媒体に区画されているリードイン領域に確保されている制御情報テーブルに記録されることを特徴とする請求項１記載の記録媒体への再生速度情報記録方法。
【請求項３】
前記制御情報テーブル内に、適用に必要な最大伝送速度を指定する最大伝送速度を記録することをさらに含むことを特徴とする請求項２記載の記録媒体への再生速度情報記録方法。
【請求項４】
前記再生速度情報は、基準速度の１．２倍又は１．５倍であることを特徴とする請求項２記載の記録媒体への再生速度情報記録方法。
【請求項５】
前記記録される再生速度情報は、基準速度の１．２倍又は１．５倍の伝送速度で前記記録媒体のメインデータを再生させることができる値を有することを特徴とする請求項１記載の記録媒体への再生速度情報記録方法。
【請求項６】
前記記録される再生速度情報は、３６Ｍｂｐｓ、４０Ｍｂｐｓ、又はそれ以上の伝送速度で前記記録媒体のメインデータを再生させることができる値を有することを特徴とする請求項１記載の記録媒体への再生速度情報記録方法。
【請求項７】
前記再生速度情報は、デジタル放送ストリームの標準伝送速度に対する前記メインデータの伝送速度の比として記録されることを特徴とする請求項１記載の記録媒体への再生速度情報記録方法。
【請求項８】
メインデータ；及び
データ領域の前の制御情報領域に記録され、前記メインデータの再生速度に関連した再生速度情報を含むことを特徴とする記録媒体。
【請求項９】
前記再生速度情報は、前記記録媒体に区画されている制御情報領域に確保されている制御情報テーブル内に記録されていることを特徴とする請求項８記載の記録媒体。
【請求項１０】
前記制御情報テーブル内に、適用に必要な最大伝送速度を指定する最大伝送速度情報をさらに有することを特徴とする請求項９記載の記録媒体。
【請求項１１】
前記再生速度情報は、基準速度の１．２倍又は１．５倍の伝送速度であることを特徴とする請求項９記載の記録媒体への再生速度情報記録方法。
【請求項１２】
前記再生速度情報は、デジタル放送ストリームの標準伝送速度以上の伝送速度で前記記録媒体のメインデータを再生させることができるように決定されることを特徴とする請求項８記載の記録媒体。
【請求項１３】
前記再生速度情報は、デジタル放送ストリームの標準伝送速度に対する前記メインデータの伝送速度の比として記録されることを特徴とする請求項８記載の記録媒体への再生速度情報記録方法。
【請求項１４】
ディスク装置が記録媒体に記録されたデータを再生する方法において、
メインデータが収録された記録媒体を駆動させる１段階と；
前記記録媒体に記録されている、前記メインデータに対する再生速度情報を検出する２段階と；
前記検出された再生速度情報で前記メインデータを読み出す３段階を含むことを特徴とする記録媒体の再生方法。
【請求項１５】
前記１段階は前記記録媒体に対して設定された基本速度で前記記録媒体を駆動することを特徴とする請求項１４記載の記録媒体の再生方法。
【請求項１６】
前記１段階は、前記再生装置がデータ領域からデータを読み出すことができる最大速度で前記記録媒体を駆動することを特徴とする請求項１４記載の記録媒体の再生方法。
【請求項１７】
前記２段階は、前記記録媒体に区画されている制御領域に確保されている制御情報テーブルで前記再生速度情報を検出することを特徴とする請求項１４記載の記録媒体の再生方法。
【請求項１８】
前記３段階は、デジタル放送ストリームの標準伝送速度以上の伝送速度で前記メインデータが読み出されるように前記記録媒体を駆動することを特徴とする請求項１４記載の記録媒体の再生方法。
【請求項１９】
前記３段階は、前記再生速度情報に該当する指定された再生速度に一致する速度で前記記録媒体を駆動できない場合には、前記ディスク装置が駆動できる多くの再生速度の中で前記指定された再生速度に最も近接し、それよりは速い再生速度で前記メインデータを再生することを特徴とする請求項１４記載の記録媒体の再生方法。
【請求項２０】
前記３段階は、前記再生速度情報によって指定された速度以上の速度で前記記録媒体を駆動することを特徴とする請求項１４記載の記録媒体の再生方法。
【請求項２１】
前記記録媒体からメインデータの最大伝送速度情報を得る段階と、
前記再生速度情報と前記最大伝送速度情報によってメインデータを再生する段階と
をさらに有することを特徴とする請求項１４記載の記録媒体の再生方法。
【請求項２２】
再生速度情報と、その再生速度とは区別される、適用に必要な最大伝送速度を指定する最大伝送速度情報とを含む制御情報を記録媒体の特定の領域に記録する段階と、
メインデータをメインデータ領域に記録する段階と
を有することを特徴とする記録媒体にデータを記録する方法。
【請求項２３】
前記特定の領域がリードイン領域であって、前記再生速度情報と最大伝送速度情報とが記録媒体のリードイン領域に割り当てられた制御情報テーブルに記録されることを特徴とする請求項２２記載の方法。
【請求項２４】
前記制御情報が、媒体のサイズとバージョン番号をそれぞれ特定する媒体サイズ及びバージョン情報と、記録層の数と記録層のタイプを特定する媒体構造情報と、記録媒体の記録密度に関連した記録密度情報とをさらに含むことを特徴とする請求項２３記載の方法。
【請求項２５】
前記再生速度情報が基準速度の１．２又は１．５バイであることを特徴とする請求項２２記載の方法。
【請求項２６】
前記再生速度情報が、基準速度の１．２倍又は１．５倍の伝送速度で前記記録媒体のメインデータを再生するように決定されることを特徴とする請求項２２記載の記録媒体への再生速度情報記録方法。
【請求項２７】
前記再生速度情報が、３６Ｍｂｐｓ、４０Ｍｂｐｓ又はそれ以上で記録媒体のメインデータが再生されるように決定されることを特徴とする請求項２２記載の記録媒体への再生速度情報記録方法。
【請求項２８】
前記再生速度情報が前記メインデータの伝送速度の比として記録されることを特徴とする請求項２２記載の記録媒体への再生速度情報記録方法。
【請求項２９】
メインデータと制御データとを含み、前記制御データが記録媒体の特定の領域に記録され、かつ再生速度情報と、適用によって必要な最大伝送速度を特定する最大伝送速度情報とを含み、前記再生速度情報は前記最大伝送速度情報とは区別されることを特徴とするデータ構造を有する記録媒体。
【請求項３０】
前記特定の領域がリードイン領域であって、前記再生速度情報と最大伝送速度情報とが記録媒体のリードイン領域に割り当てられた制御情報テーブルに記録されることを特徴とする請求項２９記載の記録媒体。
【請求項３１】
前記制御情報が、媒体のサイズとバージョン番号をそれぞれ特定する媒体サイズ及びバージョン情報と、記録層の数と記録層のタイプを特定する媒体構造情報と、記録媒体の記録密度に関連した記録密度情報とをさらに含むことを特徴とする請求項３０記載の記録媒体。
【請求項３２】
前記再生速度情報が基準速度の１．２又は１．５バイであることを特徴とする請求項２９記載の記録媒体。
【請求項３３】
前記再生速度情報が、基準速度の１．２倍又は１．５倍の伝送速度で前記記録媒体のメインデータを再生するように決定されることを特徴とする請求項２９記載の記録媒体。
【請求項３４】
前記再生速度情報が、３６Ｍｂｐｓ、４０Ｍｂｐｓ又はそれ以上で記録媒体のメインデータが再生されるように決定されることを特徴とする請求項２９記載の記録媒体。
【請求項３５】
前記再生速度情報が前記メインデータの伝送速度の比として記録されることを特徴とする請求項２９記載の記録媒体。
【請求項３６】
記録媒体からデータを再生する方法において、
記録媒体の特定の領域から制御情報を読み出す段階であって、前記制御情報が、再生速度情報と、適用によって必要な最大伝送速度を特定する最大伝送速度情報とを含み、前記再生速度情報は前記最大伝送速度情報とは区別される、前記制御情報を読み出す段階と、
前記再生速度情報と最大伝送速度情報のいずれか又は双方に従ってメインデータ領域に記録されたメインデータを再生する段階と
を有することを特徴とする方法。
【請求項３７】
前記特定の領域がリードイン領域であって、前記再生速度情報と最大伝送速度情報とが記録媒体のリードイン領域に割り当てられた制御情報テーブルに記録されることを特徴とする請求項３６記載の方法。
【請求項３８】
前記制御情報が、媒体のサイズとバージョン番号をそれぞれ特定する媒体サイズ及びバージョン情報と、記録層の数と記録層のタイプを特定する媒体構造情報と、記録媒体の記録密度に関連した記録密度情報とをさらに含むことを特徴とする請求項３７記載の方法。
【請求項３９】
前記再生速度情報が基準速度の１．２又は１．５バイであることを特徴とする請求項３６記載の方法。
【請求項４０】
前記再生速度情報が、基準速度の１．２倍又は１．５倍の伝送速度で前記記録媒体のメインデータを再生するように決定されることを特徴とする請求項３６記載の方法。
【請求項４１】
前記再生速度情報が、３６Ｍｂｐｓ、４０Ｍｂｐｓ又はそれ以上で記録媒体のメインデータが再生されるように決定されることを特徴とする請求項３６記載の方法。
【請求項４２】
前記再生速度情報が前記メインデータの伝送速度の比として記録されることを特徴とする請求項３６記載の方法。
【手続補正２】
【補正対象書類名】明細書
【補正対象項目名】全文
【補正方法】変更
【補正の内容】
【発明の詳細な説明】
【技術分野】
【０００１】
本発明は、再生専用ブルーレイディスク（ＢＤ−ＲＯＭ：Ｂｌｕ−ｒａｙ  Ｄｉｓｃ−ＲＯＭ）のような高密度光ディスクのデータ領域に記録されたＡ／Ｖストリームのようなメインデータをそれに合う速度で読み出すことができるようにする情報の管理方法とそれによる高密度光ディスクに関する。
【０００２】
また、本発明は記録媒体に収録されたコンテンツに適切な再生速度をその記録媒体から把握して該コンテンツを再生する方法に関する。
【背景技術】
【０００３】
最近、高画質のビデオデータと高音質のオーディオデータを長時間記録することができる新しい高密度光ディスクである再記録可能なブルーレイディスク（ＢＤ−ＲＥ：Ｂｌｕ−ｒａｙＤｉｓｃ−Ｒｅｗｒｉｔａｂｌｅ）に対する規格化作業が急速に進展している。ＢＤ−ＲＥの規格が確定されれば、関連製品が開発され市場に発表されて商用化されることが期待される。
【０００４】
ＢＤ−ＲＥは、図１に示したように、ディスクの内周側にクランピング領域、ＢＣＡ（Ｂｕｒｓｔ  Ｃｕｔｔｉｎｇ  Ａｒｅａ）領域、トランジション領域、リードイン領域が上記順番どおり存在し、ディスクの中心と外周には、データ領域とリードアウト領域が存在するディスク構造を有する。
【０００５】
リードイン領域には、第１ガード（Ｇｕａｒｄ  １）領域、ＰＩＣ（Ｐｅｒｍａｎｅｎｔ  Ｉｎｆｏｒｍａｔｉｏｎ  ＆  Ｃｏｎｔｒｏｌ  ｄａｔａ）領域、第２ガード（Ｇｕａｒｄ  ２）領域、情報２（Ｉｎｆｏ  ２）領域、ＯＰＣ（Ｏｐｔｉｍｕｍ  Ｐｏｗｅｒ  Ｃａｌｉｂｒａｔｉｏｎ）領域などが区分して割当てられている。第１ガード領域とＰＩＣ領域は、事前にデータがあらかじめ記録されている領域（Ｐｒｅ−ｒｅｃｏｒｄｅｄ  ａｒｅａ）であり、他のリードイン領域、データ領域、リードアウト領域は、新しいデータを再記録できる領域である。
【０００６】
ＰＩＣ領域は、永久的に保存されなければならないディスクの主要一般情報が記録される領域であって、この情報はトラックにウォーブル形状で、高周波変調（ＨＦＭ：Ｈｉｇｈ  Ｆｒｅｑｕｅｎｃｙ  Ｍｏｄｕｌａｔｅｄ）方式によりエンコーディングされて記録される。ウォーブル形状へのデータエンコーディングは、図２に示したように、バイフェーズ変調（Ｂｉ−Ｐｈａｓｅ  Ｍｏｄｕｌａｔｅｄ）方式により変調して記録される。
【０００７】
図２によれば、ＨＦＭグルーブが、高帯域幅信号で半径方向に変調され、十分な容量とデータ速度を備えた複製された情報のためのチャネルを生成する。
【０００８】
この変調方法では、値０のビットがビットセルの開始でトランジッション（遷移）するビットを表し、値１のビットがビットセルの開始と中間においてトランジッションするビットを表す。変調されたビットは図２に示されたように平均中心線からのグルーブの偏倚によってディスクに記録される。各ビットセルの長さは３６Ｔである。ここでＴは再記録可能なデータ領域におけるチャネルビットの長さに対応している。
【０００９】
一方、ＢＤ−ＲＥの開発とともに、それに対応する再生専用ディスクである再生専用ブルーレイ（Ｂｌｕ−ｒａｙ）ディスク（‘ＢＤ−ＲＯＭ’と称する）も現在関連企業間で論議されている。このディスクは図３に示したように、インナー領域、クランピング領域、トランジション領域、情報領域、リム領域で構成されている。
【００１０】
情報領域内のデータゾーンには、ＢＤ−ＲＥに比べて高画質のメインＡ／Ｖデータを記録することができる。
【００１１】
例えば、ＢＤ−ＲＥの場合には、ＨＤ−ＴＶ放送に該当する約３６ＭｂｐｓのＡ／Ｖストリームを主に記録する一方、ＢＤ−ＲＯＭの場合は、製作時に４０Ｍｂｐｓ以上の高画質の映画のようなコンテンツのＡ／Ｖストリームを記録することができる。
【００１２】
したがって、ＢＤ−ＲＯＭに記録された高画質のＡ／Ｖストリームの伝送レートを知らずに、ＨＤ−ＴＶ放送ストリームの伝送レートである約３６Ｍｂｐｓでデータを読み出して再生すると、正常な映像出力をすることができない。
【発明の開示】
【発明が解決しようとする課題】
【００１３】
本発明は、前記のような問題を解決するために創作されたものであって、再生専用記録媒体に収録されたリアルタイム動画像コンテンツに適合する再生速度情報を記録して置く記録媒体の再生速度情報管理方法を提供することが目的である。
【００１４】
本発明は、データ領域に収録されたリアルタイム動画像コンテンツに適合する再生速度情報を含んでいる記録媒体を提供することが他の目的である。
【００１５】
さらに、本発明は、収録されたコンテンツに適合する再生速度を記録媒体から把握して、その速度で記録媒体を再生する方法を提供するが他の目的である。
【課題を解決するための手段】
【００１６】
前記のような目的を達成する本発明による記録媒体への再生速度情報記録方法は、記録媒体にビデオデータを記録し、そのビデオデータの再生速度情報を、ビデオデータが記録されるデータ領域の前に記録して置くことが特徴である。
【００１７】
また、本発明による記録媒体は、ビデオデータと、そのビデオデータが記録された領域の前に記録された当該ビデオデータの再生速度情報を含むことが特徴である。
【００１８】
さらに、本発明による記録媒体の再生方法は、ビデオデータが収録された記録媒体を駆動させる１段階と、記録媒体に記録されている、当該ビデオデータに対する再生速度情報を検出する２段階と、その検出された再生速度情報で指定した速度またはそれ以上の速度で記録媒体を駆動してビデオデータを読み出す３段階とを含むことが特徴である。
【００１９】
前記のような特徴を有する記録媒体の再生速度情報管理方法及び速度情報による再生方法によれば、記録媒体に収録されたデジタル放送ストリームより速い伝送速度を要する高画質である多様なコンテンツを正常に再生してユーザーが視聴することができる。
【発明を実施するための最良の形態】
【００２０】
以下、本発明による記録媒体の再生速度情報管理方法及びその再生速度による記録媒体再生方法に対する望ましい実施形態に対して、添付した図面を参照しながら詳細に説明する。
【００２１】
本発明による再生専用ブルーレイディスク（ＢＤ−ＲＯＭ）は、図３を参照しながら前述したように、インナー領域、クランピング領域、トランジション領域、情報領域、リム領域を備えたディスク構造を有する。
【００２２】
情報領域内に割り当てられているＰＩＣ領域は、ディスク情報ＤＩを含んでいる。このようなデータ記録はＢＤ−ＲＯＭの製作時にディスク表面にプレピットを形成することによってなされる。
【００２３】
情報領域内に割り当てられたデータゾーンには、映画等のようなリアルタイムの動画像コンテンツが記録される。このようなコンテンツは伝送速度（ｔｒａｎｓｆｅｒ  ｒａｔｅ）が４０Ｍｂｐｓ以上であることを必要とする高画質映像である。
【００２４】
一方、ＰＩＣ領域に含めて記録されるディスク情報（ＤＩ）には、図４に示したように、ディスク情報ＩＤのような一般情報以外に、データゾーンに記録されたメインデータに適切な再生速度（伝送速度）情報が含まれて記録される。
【００２５】
例えば、図５にディスク情報（ＤＩ）を示す。ディスク情報は、０番目のバイトの文字“ＤＩ”で表されるディスク情報識別子、２番目のバイトのＤＩユニットのコンテンツを識別する“ＤＩフォーマット”、４番目のバイトに各ＤＩブロック（１≦Ｎ≦３２）におけるＤＩユニットＮの数を特定する“各ブロックのＤＩフレームの数”、５番目のバイトのＤＩブロック内のシーケンシャルなＤＩユニットの数を指定する“ＤＩユニットのシーケンス数”、６番目のバイトの実際のＤＩユニットで使用されているバイトの数を表している“本ＤＩユニットで使用されているＤＩバイトの数”、８番目から１０番目のバイトの文字“ＢＤＯ”を表わしている“ディスクタイプ識別子”、１１番目のバイトのディスクのサイズとバージョン数を指定する“ディスクサイズ／バージョン”、１２番目のバイトの記録層の数と記録層のタイプとを指定する“ディスク構造”、１３番目のバイトのメインデータチャネルビット長を指定する“チャネルビット長”、１６番目のバイトのこのディスクのＢＣＡコードの存在を示す“ＢＣＡ記述子”、１７番目のバイトの適用に必要な最大伝送速度をＭｂｉｔ／ｓで表す“適用の最大伝送速度”、関連する層のデータゾーンの最初と最後のアドレスユニット番号を指定する“データゾーン割当て”が含まれる。上記に加えて本発明では再生速度情報が、例えば４バイトのサイズを有しており、図５に示したように、ディスク情報ＩＤ、ディスク情報フォーマット、ディスクサイズ／バージョンなどが記録されるディスク情報ＤＩテーブル内に確保されている未使用領域のうち、例えば３２ないし３５番目位置に記録される。または、再生速度情報は、１バイトのｍａｘｉｍｕｍ  ｔｒａｎｓｆｅｒ  ｒａｔｅ  ｏｆ  ａｐｐｌｉｃａｔｉｏｎ（最大適用伝送速度）フィールドに記録して置くこともできる。
【００２６】
ＢＤ−ＲＯＭの再生速度情報を記録する時は、放送ストリームの伝送速度（＝３６Ｍｂｐｓ）（以下この伝送速度を１Ｘとする）に対する比として記録することもできる。例えば、放送ストリームの伝送速度に対する再生速度がｋ速度（１Ｘのｋ倍、ｋは１以上である整数）に該当して、ＢＤ−ＲＯＭに収録されたコンテンツの伝送速度が４０Ｍｂｐｓ以上ならば、再生速度情報は４０／３６×ｋ（≒１．１２ｋ）の値より大きい値が記録される。もし、ビデオコンテンツの伝送速度が４０Ｍｂｐｓならば再生速度情報として１．１２ｋの値が記録される。
【００２７】
図６はディスク記録媒体を再生する光ディスク装置を概括的に示したものであって、光ディスクの記録信号を読みだす光ピックアップ１１、信号処理及びサーボ制御を遂行するＶＤＰ（Ｖｉｄｅｏ  Ｄｉｓｃ  Ｐｌａｙ）システム１２、そしてＤ／Ａ変換器１３などで構成されるが、記録媒体に収録されたコンテンツの再生速度に適切な速度を把握して記録媒体を再生する。
【００２８】
このために、装置内に、収録されたコンテンツの再生速度情報を有するＢＤ−ＲＯＭが装着されると、ＶＤＰシステム１２は、まず、装着されたＢＤ−ＲＯＭを回転駆動させて、光ピックアップ１１を制御し、ＢＤ−ＲＯＭのＰＩＣ領域を探索してそこに記録されているディスク情報を読みだす。この時、高密度記録媒体に対して設定された基本速度（＝１Ｘ）でＢＤ−ＲＯＭを再生するか、図６の再生装置が、ＰＩＣ領域から読み出すことができる最大速度で再生する。もしも、ＰＩＣ領域が暗号化されていると判断されると、装着されたＢＤ−ＲＯＭを必ずその領域に対する最大速度で再生する。
【００２９】
そして、読み取られたディスク情報ＤＩで１７番目のバイトに記録された１バイト情報、または３２ないし３５番目のバイトに記録されている４バイトの再生速度情報を検出する。
【００３０】
もし、この伝送速度情報が４０Ｍｂｐｓに該当する値であれば、すなわち、前の例で１．１２ｋならば、ＶＤＰシステム１２は装着されたＢＤ−ＲＯＭを１Ｘの１．１２ｋ倍、すなわち、１．１２ｋＸの速度またはそれ以上、例えば１．５ｋＸで駆動させて、光ピックアップ１１をデータゾーンへ移動させてそこに記録されている高画質の動画像データ、例えば、ビデオ及び／またはオーディオデータを読み、読み取られたデータに対してデコーディングして出力する。４０Ｍｂｐｓを示す伝送速度情報は“適用の最大伝送速度”フィールド内に１バイト長として記録されても良い。もし、図６の再生装置が駆動できる再生可能速度がいくつかのレベルに設定されている場合、例えば、Ｎ1Ｘ、Ｎ2Ｘ、Ｎ3Ｘ、・・・、ＮIＸ（ＮIは整数）に決められていて、確認された伝送速度に該当する速度と一致する再生可能速度がない時は、再生速度情報の速度に最も近接し、それより速い再生可能速度を選定してその速度でＢＤ−ＲＯＭに収録されたコンテンツを再生する。
【００３１】
例えば、前の例で、記録された１．１２ｋの値がＮI-2より大きくてＮI-1より小さければ前記再生装置は装着されたＢＤ−ＲＯＭをＮI-1Ｘの速度で再生する。
【００３２】
以上、前述した本発明の望ましい実施形態は、例示の目的のために開示されたものであって、当業者ならば、添付された特許請求範囲に開示された本発明の技術的思想とその技術的範囲内で、また他の多様な実施形態を改良、変更、代替または付加などが可能であることである。
【図面の簡単な説明】
【００３３】
【図１】再記録可能なブルーレイディスク（ＢＤ−ＲＥ）に対するディスク構造を示したものである。
【図２】再記録可能なブルーレイディスクのＰＩＣ領域に形成された高周波変調（ＨＦＭ）グルーブを示したものである。
【図３】再生専用ブルーレイディスク（ＢＤ−ＲＯＭ）に割り当てられている各領域を示したものである。
【図４】本発明によって、収録されたコンテンツに対する再生速度情報がＰＩＣ領域に記録されている例を示したものである。
【図５】本発明によって、ＰＩＣ領域内のディスク情報テーブルに再生速度情報が記録される例を示したものである。
【図６】本発明が適用された高密度ブルーレイディスクを再生することができる光ディスク装置の構成を概略的に示したのである。
【国際調査報告】
2006517710.tif 000009